(57)【要約】【課題】ベッド本体のサイドフレームに側柵を確実に取付け固定できるようにしたベッド装置を提供することにある。【解決手段】一対のサイドフレーム２を有するベッドフレームと、サイドフレームに着脱可能に設けられる側柵とを備えたベッド装置であって、  サイドフレームは、下部材１３と、下部材の上端に金属製の中間部材１１を介して設けられベッドフレームの幅方向外方に突出する水平部２１を有する上部材１２とによって構成されていて、水平部には側柵の脚部３８を挿入する複数の挿入孔２２が長手方向に所定間隔で設けられ、脚部が挿入された挿入孔と対応する水平部の下面側には挿入孔から突出した脚部を支持する支持部材２５が中間部材に取付け固定されて設けられる。【選択図】      図８
2008093032.tif 000002
【特許請求の範囲】
【請求項１】
一対のサイドフレームを有するベッドフレームと、上記サイドフレームに着脱可能に設けられる被取付け体とを備えたベッド装置であって、
上記サイドフレームは、下部材と、この下部材の上端に金属製の中間部材を介して設けられ上記ベッドフレームの幅方向外方に突出する水平部を有する上部材とによって構成されていて、
上記水平部には上記被取付け体の脚部を挿入する複数の挿入孔が長手方向に所定間隔で設けられ、上記脚部が挿入された上記挿入孔と対応する上記水平部の下面側には上記挿入孔から突出した上記脚部を支持する支持部材が上記中間部材に取付け固定されて設けられることを特徴とするベッド装置。
【請求項２】
上記上部材の水平部に形成された複数の挿入孔のうち、上記被取付け体の脚部が挿入されない挿入孔にはキャップが装着されることを特徴とする請求項１記載のベッド装置。
【請求項３】
上記中間部材は角パイプであって、この中間部材には上記水平部に形成された挿入孔と対応する位置に、上記支持部材に設けられたおねじ部を有する連結軸が挿通される取付け孔が上記中間部材の幅方向に貫通して形成されていて、この中間部材から突出したおねじ部にはナットが螺合されることを特徴とする請求項１記載のベッド装置。
【請求項４】
上記ベッドフレームは、上記一対のサイドフレームの長手方向一端にヘッドボードが設けられ、他端にエンドボードが設けられていて、
上記エンドボードには上記サイドフレームの水平部と同じ高さの水平部が設けられていることを特徴とする請求項１記載のベッド装置。
【発明の詳細な説明】
【技術分野】
【０００１】
この発明はベッドフレームのサイドフレームにたとえば手摺りや側柵などの被取付け体が設けられるベッド装置に関する。
【背景技術】
【０００２】
一般に、ベッド装置は一対のサイドフレームの長手方向一端にヘッドボードが連結され、他端にフットボードが連結されてベッドフレームが構成されている。このベッドフレームの一対のサイドフレーム間には床板が上記サイドフレームの内面に設けられた受け桟に幅方向の両端部を係合させて架設されている。そして、この床板上にマットレスが載置される。
【０００３】
ベッド装置を老人や体の不自由な人が利用する場合、上記側部材には利用者がマットレス上から起き上があったり、仰臥するときに掴まるための手摺りを設けるようにしている。また、利用者が就寝中にマットレス上から落ちるのを防止したり、掛け布団がずれ落ちるのを防止するためなどに側柵を設けるようにしている。上記サイドフレームには、手摺りや側柵に代わり、利用者が小物類を置くためのテーブルが取付けられるということもある。
【０００４】
上記手摺り、側柵或いはテーブルなどの被取付け体は、利用者の頭部側に設けたり、足部側に設けたりすることが要求されることがあり、さらには不要になった場合にはベッド装置の利用者の邪魔にならないようにサイドフレームから取り外すことが要求される。すなわち、上記被取付け体は、上記ベッド装置のサイドフレームに対して取付け位置の変更及び着脱可能であることが要求される。
【０００５】
特許文献１にはベッドフレームのサイドフレームに手摺りを設けることが示されている。すなわち、特許文献１にはサイドフレームの上端面に開口する２つで１組となる取着孔を形成し、この取着孔に逆コ字状の手摺りに設けられた一対の脚部を着脱可能に挿入支持することが示されている。
【特許文献１】特開平１１−３０９０２４号公報
【発明の開示】
【発明が解決しようとする課題】
【０００６】
ところで、ベッド装置を大別すると病院用と家庭用とがあり、病院用のベッド装置はベッドフレームが金属製の場合がほとんどであるため、十分な強度を有する。そのため、金属製のベッドフレームのサイドフレームには手摺りや側柵などを強固に取付けることが可能となる。しかしながら、病院用のベッド装置は、ベッドフレームが金属製であるため、外観的に極めて体裁が悪い。そのため、家庭用のベッド装置としては、室内の他の家具などとの調和が損なわれるなどのことがあり、利用し難いということがある。
【０００７】
一方、家庭用のベッド装置の場合、ベッドフレームのほとんどは木製であって、金属製の病院用のベッド装置に比べて外観的に良好である。しかしながら、特許文献１に示されるように、木製のサイドフレームに取着孔を形成し、その取着孔に脚部を挿入して手摺りを取付ける構造であると、利用者がベッド装置に乗り降りする際などに手摺りを掴んだ利用者の荷重がサイドフレームに加わることによって、その荷重で木製のサイドフレームは外方へ撓むということがある。
【０００８】
サイドフレームが外方へ撓めば、上記手摺りも外方へ振れることになるから、利用者に不安感を与えるということがある。  
しかも、サイドフレームに取着孔を形成し、その取着孔に手摺りの脚部を挿入する構造であると、サイドフレームの取着孔が形成された部分は他の部分に比べて強度が大きく低下する。そのため、手摺りに加わる荷重が大きくなった場合にはサイドフレームの取着孔が形成された部分が損傷する虞がある。
【０００９】
この発明は、外観的に良好であり、しかもサイドフレームが撓むようなことなく、被取付け部材をサイドフレームに強固に取り付けることができるようにしたベッド装置を提供することにある。
【課題を解決するための手段】
【００１０】
この発明は、一対のサイドフレームを有するベッドフレームと、上記サイドフレームに着脱可能に設けられる被取付け体とを備えたベッド装置であって、
上記サイドフレームは、下部材と、この下部材の上端に金属製の中間部材を介して設けられ上記ベッドフレームの幅方向外方に突出する水平部を有する上部材とによって構成されていて、
上記水平部には上記被取付け体の脚部を挿入する複数の挿入孔が長手方向に所定間隔で設けられ、上記脚部が挿入された上記挿入孔と対応する上記水平部の下面側には上記挿入孔から突出した上記脚部を支持する支持部材が上記中間部材に取付け固定されて設けられることを特徴とするベッド装置にある。
【００１１】
上記上部材の水平部に形成された複数の挿入孔のうち、上記被取付け体の脚部が挿入されない挿入孔にはキャップが装着されることが好ましい。
【００１２】
上記中間部材は角パイプであって、この中間部材には上記水平部に形成された挿入孔と対応する位置に、上記支持部材に設けられたおねじ部を有する連結軸が挿通される取付け孔が上記中間部材の幅方向に貫通して形成されていて、この中間部材から突出したおねじ部にはナットが螺合されることが好ましい。
【００１３】
上記ベッドフレームは、上記一対のサイドフレームの長手方向一端にヘッドボードが設けられ、他端にエンドボードが設けられていて、
上記エンドボードには上記サイドフレームの水平部と同じ高さの水平部が設けられていることが好ましい。
【発明の効果】
【００１４】
この発明によれば、サイドフレームを下部材、金属製の中間部材及びベッドフレームの幅方向外方へ突出する水平部を有する上部材によって構成し、水平部には被取付け体の脚部を挿入する挿入孔を形成し、中間部材には挿入孔に挿通された脚部を支持する支持部材を取り付けるようにした。
【００１５】
そのため、サイドフレームは金属製の中間部材によって十分な強度を有するから、被取付け部材から支持部材に荷重が加わって、外方へ撓むのが防止されるばかりか、上部材の水平部によって覆われているため、外部、とくに上方からは見え難いから、上記中間部材が金属製であっても、ベッドフレームの外観が損なわれることがない。
【発明を実施するための最良の形態】
【００１６】
以下、この発明の実施の形態の形態を図面を参照して説明する。  
図１乃至図３はこの発明のベッド装置を示し、このベッド装置はベッドフレーム１を備えている。このベッドフレーム１は所定間隔で平行に離間した一対のサイドフレーム２（一方のみ図示）を有する。一対のサイドフレーム２の長手方向一端にはヘッドボード３が連結固定され、他端にはエンドボード４が連結固定されている。
【００１７】
上記一対のサイドフレーム２の長手方向の両端部にはそれぞれ脚体５の一端が枢着されている。ベッドフレーム１の幅方向において対応する一対の脚体５の一端部と他端部はそれぞれ連結杆６（他端部の連結杆のみ図示）によって連結されている。連結杆６によって連結された各一対の脚体５は図示しない保持機構によって任意の傾斜角度で保持可能となっている。それによって、上記ベッドフレーム１は上記脚体５の傾斜角度を変えることで、高さを調整できるようになっている。
【００１８】
上記サイドフレーム２は図６乃至図８に示すように金属製の角パイプからなる中間部材１１を有する。この中間部材１１の上面には木材によって帯板状に形成された上部材１２が設けれ、下面には同じく木材によって帯板状に形成された下部材１３が設けられる。上記中間部材１１は上部材１２、下部材１３よりもベッドフレーム２の幅方向に沿う幅寸法が大きく設定されている。
【００１９】
上部材１２及び下部材１３は外面を中間部材１１の外面と面一にして配置されている。そして、上部材１２、下部材１３及び中間部材１１の長手方向中途部は、図５と図６に示すように一辺を上部材１２及び下部材１３の内側面にねじ１５によって固定し、他辺を中間部材１１の上下面にそれぞれ溶接固定した断面形状が断面Ｌ字状の上下一対の第１の連結部材１６によって一体的に連結されている。
【００２０】
上記上部材１２、下部材１３及び中間部材１１の長手方向両端部は図５に示すように上下一対の第２の連結部材１７によって連結されている。この第２の連結部材１７は、第１の連結部材１６と同様、断面がＬ字状となっていて、その一辺を上部材１２及び下部材１３の内側面にねじ１５によって固定し、他辺を中間部材１１の上下面にそれぞれ溶接固定して設けられている。
【００２１】
さらに、図９に示すように一対の上記第２の連結部材１７の側端には、中間部材１１の長手方向両端に位置する連結片１８がＬ字状に折曲形成されている。この連結片１８は上下一対の連結部材１７を一体に連結している。
【００２２】
上記中間部材１１の長手方向一端に位置する第２の連結部材１７の連結片１８は上記ヘッドボード３の内面の幅方向両端にねじ止め固定され、他端に位置する第２の連結部材１７の連結片１８は上記エンドボード４の内面の幅方向両端にねじ止め固定される。それによって、上記ベッドフレーム１が構成されている。
【００２３】
上記サイドフレーム２の高さ方向の上端部、つまり上部材１２にはベッドフレーム１の幅方向外方に延出する水平部２１が形成されている。この水平部２１には長手方向に対して所定間隔で複数の挿入孔２２が厚さ方向に貫通して形成されている。
【００２４】
なお、上記エンドフレーム４には、上面が上記サイドフレーム２の水平部２１の上面と同じ高さとなる水平部４ａがベッドフレーム１の長手方向外方に向かって形成されている。さらに、上記ヘッドボード３の幅寸法は、一対のサイドフレーム２の水平部２１の先端間の幅寸法と同じに設定されている。
【００２５】
図６に示すように、上記サイドフレーム２の中間部材１１の幅方向の外面には、上記水平部２１に形成された挿入孔２２と対応する位置に第１の取付け孔２３が穿設されている。上記中間部材の内面には上記第１の取付け孔２３と対向する位置に第１の取付け孔２３よりも小径な第２の取付け孔２４が穿設されている。
【００２６】
図７と図８に示すように、上記中間部材１１の外面であって、上記上部材１２の水平部２１の下面側には一対の支持部材２５が所定間隔で取付け固定される。この支持部材２５は上面に開口する支持孔２６が形成され、背面には先端におねじ２７ａが形成された連結軸２７が突設され、さらに係合凹部２８が形成されている。
【００２７】
一対の支持部材２５は、帯板状の連結部材３１を介して上記中間部材１１の外面に取り付けられる。上記連結部材３１の長手方向両端部には一対の位置決め孔３２が形成されていて、この位置決め孔３２に上記連結軸２７が挿入される。
【００２８】
上記連結部材２８の両端部には上記係合凹部２８に係合する係合ピン３３が突設されている。それによって、一対の支持部材２５は所定の間隔で、しかも係合凹部２８と係合ピン３３との係合によって上記中間部材１１の外面に回転不能に保持される。
【００２９】
連結部材２７に形成された一対の位置決め孔２９の間隔は、たとえば中間部材１１に形成された第１の取付け孔２３の間隔の２倍に設定されている。それによって、連結部材２７に保持された一対の支持部材２５の連結軸２７は、図８に示すように上記中間部材１１の一対の第１の取付け孔２３に挿入されて先端のおねじ部２７ａが第２の取付け孔２４から中間部材１１の内面側に突出する。
【００３０】
第２の取付け孔２４から突出したおねじ部２７ａには２枚のワッシャ３４を介して袋ナット３５が螺合される。それによって、上記支持部材２５は上記中間部材１１の外面に着脱可能に取付け固定される。
【００３１】
上記中間部材１１の外面に取付け固定された一対の支持部材２５の支持孔２６は上記上部材１２の水平部２１に形成された一対の挿入孔２２に対向している。一対の支持孔２６に対向する一対の挿入孔２２には被取付け体としての側柵３７に設けられた一対の脚部３８が挿入される。
【００３２】
上記挿入孔２２に挿入された一対の脚部３８は、挿入孔２２に対向位置する上記支持部材２５の支持孔２６に挿入支持される。それによって、上記側柵３７は上記ベッドフレーム１のサイドフレーム２に取付けられた支持部材２５によって支持される。
【００３３】
上記サイドフレーム２の複数の挿入孔２２のうち、側柵３７の脚部３８が挿入されていない挿入孔２２には、サイドフレーム２の上部材１２と同じ材質によって形成されたキャップ４１が装着される。このキャップ４１は図６に示すように下端面に開口しためねじ４２が形成されていて、上記挿入孔２２に装着してから、上記めねじ４２に固定ボルト４３が上記挿入孔２２よりも大径なワッシャ４４を介して螺合される。それによって、上記キャップ４１は上記挿入孔２２に保持固定される。
【００３４】
上記ベッドフレーム１の一対のサイドフレーム２を形成する中間部材１１の内面側に突出させた幅方向の端部には図示しない床板が幅方向の両端部を係合させて架設されている。そして、この床板の上面には図１に示すようにマットレス４５が載置される。
【００３５】
なお、詳細は図示しないが、上記床板は複数の床部に分割され、これら床部が互いに回動可能に連結されるとともに、電動式の背上げ機構によって背上げ可能の構成であってもよい。さらに、ベッドフレーム１を、脚体５に代わって電動式の上下駆動機構によって高さ調整可能な構成としてもよい。
【００３６】
このように構成されたベッド装置によれば、ベッドフレーム１のサイドフレーム２を、中間部材１１、上部材１２及び下部材１３に三分割し、中間部材１１に金属製の角筒を用い、上部材１２と下部材１３を木製とした。そして、上部材１２にはベッドフレーム１の幅方向外方に突出する水平部２１を設けるようにした。
【００３７】
そのため、サイドフレーム２は金属製の中間部材１１によって補強されるから、たわみ難い十分な強度を備えることができる。そのため、上記サイドフレーム２に一対の支持部材２５を取付け、この支持部材２５に側柵３７の脚部３８を挿入支持するようにすれば、側柵３７に利用者の荷重が加わっても、その荷重によってサイドフレーム２が外方へ撓むのを防止することができる。つまり、側柵３７をサイドフレーム２に強固に取り付けることが可能となる。
【００３８】
しかも、側柵３７の脚部３８は支持部材２５の支持孔２６に挿入支持されるだけでなく、上部材１２の水平部２１に穿設された挿入孔２２に挿入支持されているから、そのことによっても上記脚部３８を確実に支持することが可能となる。
【００３９】
上記サイドフレーム２の上部材１２にはベッドフレーム１の幅方向外方に突出する水平部２１を設けるようにした。そのため、サイドフレーム２の金属製の中間部材１１は木製の上部材１２の水平部２１によって覆われるから、金属製の中間部材１１が目立つことがない。
【００４０】
それによって、サイドフレーム２はあたかも木製のような外観を呈することになるから、サイドフレーム２に金属製の中間部材１１を用いても、ベッドフレーム１の外観を大きく損ねることがない。つまり、上記構成のベッド装置を家庭の室内に設置しても、他の家具との調和が損なわれるなどして違和感を呈するようなことがない。
【００４１】
サイドフレーム２の水平部２１には長手方向に所定間隔で複数の挿入孔２２を形成した。そのため、サイドフレーム２の長手方向における側柵３７の取付け位置を任意に設定することができる。
【００４２】
側柵３７の脚部３８が挿入されていない挿入孔２２は上部材１２と同じ材質で形成されたキャップ４１によって塞がれる。そのため、サイドフレーム２の水平部２１に長手方向に沿って複数の挿入孔２２を形成しても、使用されていない挿入孔２２が水平部２１の上面に開口露出することがないから、外観的に良好である。
【００４３】
さらに、上部材１２に水平部２１を外方へ突出させて設けたことで、その突出端とサイドフレーム２の外面との間に所定の間隔が形成される。つまり、水平部２１の下方に空間部が形成される。そのため、利用者がマットレス４５に載るため、サイドフレーム２に近付いたとき、水平部２１の先端（突出端）によって接近できる距離が制限されるから、足のつま先をサイドフレーム２の外面にぶつけるのを防止することができる。
【００４４】
しかも、利用者がマットレス４５から降りるときには、足を降す位置が上記水平部２１によってサイドフレーム２の外面から所定距離はなれた位置になるから、その場合には利用者が足の踵をサイドフレーム２の外面にぶつけるのを防止することができる。
【００４５】
さらに、エンドフレーム４には、上面がサイドフレーム２の水平部２１と同じ高さになる水平部４ａを設けるようにした。そのため、ベッドフレーム１はヘッドボード３側の一端を除く三側が水平部２１，４ａによって囲まれているから、外観的に良好であるばかりか、利用者がエンドフレーム４側からマットレス４５に載り降りするときにも、つま先や踵をエンドフレーム４の外面にぶつけるのを防止することができる。
【００４６】
上記一実施の形態ではベッドフレームの両側に側柵が設けられたベッド装置を例に挙げたが、側柵は一側だけに設けであってもよく、さらに被取付け体としては側柵に代わり手摺りやテーブルなどであってもよい。テーブルの場合、脚部が１本のことがあり、その場合にはサイドフレームに支持部材を１つだけ設けるようにすればよい。
【図面の簡単な説明】
【００４７】
【図１】この発明の一実施の形態を示すベッド装置の斜視図。
【図２】上記ベッド装置の側面図。
【図３】上記ベッド装置の正面図。
【図４】サイドフレーム平面図。
【図５】サイドフレームの内面を示す側面図。
【図６】サイドフレームのキャップが取り付けられた部分の断面図。
【図７】サイドフレームの側柵が取り付けられた部分の正面図。
【図８】サイドフレームの側柵が取り付けられた部分の断面。
【図９】第２の連結部材の側面図。
【符号の説明】
【００４８】
１…ベッドフレーム、２…サイドフレーム、３…ヘッドボード、４…エンドボード、４ａ…水平部、１１…中間部材、１２…上部材、１３…下部材、２１…水平部、２２…挿入孔、２５…支持部材、３７…側柵、３８…脚部、４１…キャップ、４５…マットレス。
【図１】
2008093032.tif 000003
【図２】
2008093032.tif 000004
【図３】
2008093032.tif 000005
【図４】
2008093032.tif 000006
【図５】
2008093032.tif 000007
【図６】
2008093032.tif 000008
【図７】
2008093032.tif 000009
【図８】
2008093032.tif 000010
【図９】
2008093032.tif 000011